(57)【要約】      （修正有）【課題】簡単にしかも安価に製作でき、施工も容易であり、従来のネオン灯やバックネオンと同等の機能を容易に現出できる表示装置を提供する。【解決手段】支持体の面上に所定形状にて線状に延びる溝３を形成し、該溝内に発光ダイオードモジュール４を連接したことを特徴とする表示装置１であって、とくに支持体２の溝形成面を、構造物または建造物の壁面に対し間隔をもって設置し、発光ダイオードモジュールからの照射光の壁面での反射光が表示に使用されるように構成する。【選択図】図１
0003113084.tif 000002
【実用新案登録請求の範囲】
【請求項１】
支持体の面上に所定形状にて線状に延びる溝を形成し、該溝内に発光ダイオードモジュールを連接したことを特徴とする表示装置。
【請求項２】
前記支持体が軽量材料からなる、請求項１の表示装置。
【請求項３】
前記軽量材料が発泡ウレタンまたは発泡スチロールからなる、請求項２の表示装置。
【請求項４】
前記支持体の溝形成面が透明板で覆われている、請求項１〜３のいずれかに記載の表示装置。
【請求項５】
前記支持体の溝形成面が、直接、外部に対する表示面に構成されている、請求項１〜４のいずれかに記載の表示装置。
【請求項６】
前記支持体の溝形成面が、構造物または建造物の壁面に対し間隔をもって設置され、前記発光ダイオードモジュールからの照射光の壁面での反射光が表示に使用されるよう構成されている、請求項１〜４のいずれかに記載の表示装置。
【請求項７】
前記発光ダイオードモジュールからの照射光の前記溝内面での反射光の、前記壁面での反射光も表示に使用される、請求項６の表示装置。
【請求項８】
前記支持体の溝形成面とは反対側の面が、昼間時における表示面として構成されている、請求項６または７の表示装置。
【考案の詳細な説明】
【技術分野】
【０００１】
本考案は、広告や自社表示等に使用可能な表示装置に関し、とくにネオン灯等の代替として夜間表示に用いて好適な表示装置に関する。
【背景技術】
【０００２】
広告や自社表示等の夜間表示には、ネオン灯が広く普及している。また、ネオン灯により外部に向けて直接表示するのではなく、ネオン灯からの照射光を構造物や建造物の壁面に反射させ、その反射光により表示させるようにした、いわゆるバックネオンも知られている。
【０００３】
ところが、上記のようなネオン灯を用いた表示装置は、一般的に比較的高価なものであり、また、ネオン灯自身を外力等から保護するための保護装置や保護機構も通常必要になる。そのため、設置工事も比較的大がかりになる。
【考案の開示】
【考案が解決しようとする課題】
【０００４】
そこで本考案の課題は、このような従来方法における問題点に着目し、簡単にしかも安価に製作でき、施工も容易であり、従来のネオン灯やバックネオンと同等の機能を容易に現出できる表示装置を提供することにある。
【課題を解決するための手段】
【０００５】
上記課題を解決するために、本考案に係る表示装置は、支持体の面上に所定形状にて線状に延びる溝を形成し、該溝内に発光ダイオードモジュールを連接したことを特徴とするものからなる。
【０００６】
上記支持体は軽量材料からなることが好ましい。軽量材料からなることで、取扱いや取り付け、とくに高所等への取付けが容易になる。軽量材料としては、例えば、発泡ウレタンまたは発泡スチロールを使用できる。また、このような発泡ウレタンや発泡スチロールを支持体の材料として用いることにより、上記溝加工も極めて簡単に行うことができるようになる。
【０００７】
上記支持体の溝形成面に対しては、例えば透明板で覆う構造を採用してもよい。透明板としては、例えば、塩化ビニル板を使用できる。また、支持体が比較的柔らかい、あるいは傷の付きやすい材料からなる場合には、該支持体の溝形成面とは反対側の面にも、保護板（例えば、塩化ビニル板）を貼着しておくこともできる。
【０００８】
本考案に係る表示装置の表示機能の発揮のさせ方としては、次の２種類の形態がある。第１の形態としては、上記支持体の溝形成面が、直接、外部に対する表示面に構成されている形態である。つまり、発光ダイオードモジュールによる照射光を外部に向けて照射し、該照射光に直接表示機能を持たせる形態である。
【０００９】
第２の形態は、上記支持体の溝形成面が、構造物または建造物の壁面に対し間隔をもって設置され、上記発光ダイオードモジュールからの照射光の壁面での反射光が表示に使用されるよう構成されている形態である。つまり、従来のバックネオンと同等の機能を発揮させ、同等の効果を得る形態である。
【００１０】
この第２の形態においては、上記発光ダイオードモジュールからの照射光自体が壁面で反射されその反射光を表示に使用するのに加えて、上記発光ダイオードモジュールからの照射光の上記溝内面での反射光の、上記壁面での反射光も表示に使用される。
【００１１】
また、この第２の形態においては、上記支持体の溝形成面とは反対側の面は発光面としては使用されないことになるので、この面を、例えば、昼間時における表示面として構成することもできる。例えば、この面に着色表示すれば、昼間時における表示面として使用できる。
【００１２】
このように構成された本考案に係る表示装置においては、従来のネオン灯に代えて発光ダイオードモジュールの連接形態を採用したので、表示装置全体を安価に製作することが可能になる。また、発光ダイオードモジュールは支持体に形成された溝内に連接されるので、個々の発光ダイオードモジュールは外力等に対し適切に保護されることになる。この溝形成面上に透明保護板を設けておけば、一層確実に保護されることになる。
【００１３】
上記第１の形態では、所定形状に刻設された線状溝内に発光ダイオードモジュールが連接され、発光ダイオードモジュールからの光が直接外部に向けて照射されるので、連接された発光ダイオードモジュールは従来のネオン灯と同等の機能を発揮する。
【００１４】
上記第２の形態では、発光ダイオードモジュールからの照射光（溝内面での反射光を含む）は、直接には外部に向けて照射されず、壁面に向けて照射されて一旦壁面で反射された後、その反射光が外部に向けて照射されることになる。支持体の反溝形成面側は発光機能を有しておらず、上記壁面からの反射光が外部に向かう経路においては、支持体自体は遮光体となる。すなわち、壁面からの反射光は、支持体の輪郭の内部側では、外部からは表示光としては観察されず、支持体の輪郭の外側のみにおいて外部に向けて照射されることとなる。その結果、壁面からの反射光が、支持体の輪郭をくっきりと表すことになるとともに、該輪郭の形状に沿った表示光として外部から観察されることになり、従来のバックネオンと同等の機能を発現する。
【考案の効果】
【００１５】
本考案に係る表示装置によれば、従来のネオン灯やバックネオンと同等の機能を有する発光表示装置を、より安価に簡単に製作できる。また、支持体に形成した溝内に発光ダイオードモジュールを連接して設けるので、大がかりな特別な保護装置も不要になり、施工費用も削減できる。さらに、支持体と発光ダイオードモジュールを一体的に取り扱うことができるので、一層取り付け、施工が容易化される。とくに、支持体を発泡ウレタンや発泡スチロールの軽量材料から構成すれば、取り扱い、取り付けが極めて容易になる。また、このような発泡ウレタンや発泡スチロールは、溝加工も容易に行い得る。
【００１６】
また、発光源に発光ダイオードモジュールを使用するので、ネオン灯に比べ、電源や制御装置を簡略化でき、消費電力の低減も可能になる。したがって、この面からも、低コスト化をはかることができる。ちなみに、市販発光ダイオードモジュールとしては、メーカー保証の点灯時間が２万時間にも及ぶものがある。
【考案を実施するための最良の形態】
【００１７】
以下に、本考案の望ましい実施の形態について、図面を参照して説明する。
図１〜図４は、本考案の一実施態様に係る表示装置を示している。図１において、１は表示装置全体を示しており、表示装置１は、支持体２を有しており、該支持体２の一面上には、所定形状（本実施態様では、「Ｊ」の文字の裏形状）にて線状に延びる溝３が形成されている。この溝３内に、溝３の延設方向に沿って、発光ダイオードモジュール４が連接されている。発光ダイオードモジュール４には、市販品を使用することができる。また、支持体２は、本実施態様では、軽量材料からなる発泡ウレタンで構成されている。発泡ウレタンに対しては、簡単に溝加工を施すことができる。
【００１８】
上記支持体２においては、図２に示すように、上記溝３の形成面５に対しては、例えば透明板６（例えば、透明塩化ビニル板）で覆って保護することもできる。反溝形成面７（裏面側）に対しては、例えば保護板８（例えば、塩化ビニル板）で覆って保護することもできる。
【００１９】
また、上記反溝形成面７側は、前述の第２の使用形態のために、昼間時における表宇面として構成してもよい。例えば図３に示すように、外部側に現れる「Ｊ」の文字形状を、任意の色にて表示することができる。
【００２０】
上記のように構成された表示装置１は、前述したように、支持体２の溝形成面５を外部側に向けて設置し、発光ダイオードモジュール４による照射光を外部に向けて照射し、該照射光に直接表示機能を持たせる第１の形態として使用できる。
【００２１】
表示装置１は、前述の第２の形態で使用でき、本考案は、この第２の形態で使用されるとき、その特徴をより発揮することが可能である。例えば図４に示すように、支持体２が、その溝形成面５が、ボルト１０等を介して、構造物または建造物の壁面１１に対し間隔をもって設置され、発光ダイオードモジュール４からの照射光１２（溝３内面での反射光を含む）の壁面１１からの反射光１３が表示に使用されるよう構成することができる。
【００２２】
このような構成では、従来のバックネオンと同等の機能が発揮され、同等の効果を得ることができる。すなわち、支持体２の反溝形成面７側は発光機能を有していないので、壁面１１からの反射光１３が外部に向かう経路においては、支持体２自体は遮光体となる。壁面１１からの反射光１３は、支持体２の輪郭（外部側から観れば「Ｊ」の文字の輪郭）の内部側（輪郭の内部領域）では、外部からは表示光としては観察されず、支持体２の輪郭の外側のみにおいて外部に向けて照射される。その結果、壁面１１からの反射光１３が、支持体２の輪郭をくっきりと表すことになるとともに、反射光１３自身が支持体２の輪郭の形状に沿った表示光として外部から観察されることになり、従来のバックネオンと同等の機能を発現する。
【００２３】
夜間以外の昼間時においては、前記任意の色による表示等により、反溝形成面７側が表示面として機能できる。
【００２４】
軽量な支持体２と発光ダイオードモジュール４は完全に一体的に取り扱うことができ、運搬はもとより、高所等に対しても容易に取り付けることが可能になる。発光ダイオードモジュール４はネオン灯に比べ安価であり、支持体２の溝加工も簡単に行えることから、表示装置１全体として安価に製作できるとともに、取り付け、施工も安価に行うことができる。
【図面の簡単な説明】
【００２５】
【図１】本考案の一実施態様に係る表示装置の溝形成面側を示す平面図である。
【図２】図１の表示装置の保護板設置例を示す概略側面図である。
【図３】図１の表示装置の反溝形成面側の構成例を示す平面図である。
【図４】図１の表示装置の使用形態例を示す概略縦断面図である。
【符号の説明】
【００２６】
１  表示装置
２  支持体
３  溝
４  発光ダイオードモジュール
５  溝形成面
６  透明板
７  反溝形成面
８  保護板
１０  ボルト
１１  構造物または建造物の壁面
１２  発光ダイオードモジュールからの照射光
１３  壁面からの反射光
【図１】
0003113084.tif 000003
【図２】
0003113084.tif 000004
【図３】
0003113084.tif 000005
【図４】
0003113084.tif 000006